(57)【特許請求の範囲】
【請求項１】
トンネル内の車道の路肩に構築された監視員通路に設けられた設置用空間内に設置される消火栓装置であって、
ホースを収納するホース収納部を内蔵する箱形の筐体を備え、
該筐体は、監視員通路の路面として供用できる天板部と該天板部の下方の本体部とを有し、
前記天板部は、前記ホース収納部の上方にホースの引き出しを可能にする開口部と、該開口部を開閉可能に覆う扉体とを備え、
前記開口部の縁部に前記扉体を開放状態にしたときに点灯する発光素子が設けられていることを特徴とする消火栓装置。
【請求項２】
前記扉体は、回動軸によって回動することで開閉可能に構成され、起立状態を保持する起立保持部材を有し、閉止状態で下面となる面に内部機器に関する表示が記載されていることを特徴とする請求項１に記載の消火栓装置。
【請求項３】
前記扉体の周縁部に、常時点灯する発光素子が設けられていることを特徴とする請求項１又は２に記載の消火栓装置。
【請求項４】
トンネル内の車道の路肩に構築された監視員通路に設けられた設置用空間内に設置される消火器箱であって、
消火器を収納する消火器収納部を有する箱形の筐体を備え、
該筐体は、監視員通路の路面として供用できる天板部と該天板部の下方の本体部とを有し、
前記天板部は前記消火器収納部の上方に前記消火器の取り出しを可能にする開口部と、該開口部を開閉可能に覆う扉体とを備え、
前記開口部の縁部に前記扉体を開放状態にしたときに点灯する発光素子が設けられていることを特徴とする消火器箱。
【発明の詳細な説明】
【技術分野】
【０００１】
本発明は、トンネル等に設置される消火栓装置及び消火器箱に関する。
【背景技術】
【０００２】
トンネル等に設置される消火栓装置は、例えば特許文献１に開示されたように、消火栓本体を「トンネル壁面に形成された箱抜き部分」に設置していた。
【０００３】
しかしながら、最近の大口径のトンネルはシールド工法によって構築されることが多く、この場合、トンネルの壁面がトンネルの掘削と同時に鋼製のセグメントで構築されるため、特許文献１に開示されているような箱抜きをすることができない。
そのため、消火栓装置の本体の設置場所として、トンネル壁面ではなく、監視員通路内に埋め込むことが考えられ、このような態様のものとして特許文献２に開示されたトンネル用消火栓装置がある。
【０００４】
特許文献２に開示のものは、「トンネル側壁の路肩に沿って所定の高さに構築された監視員通路を備えたトンネルに設置されるトンネル用消火栓装置に於いて、前記監視員通路の路面側の側壁を装置前面として監視員通路の下部の空間に本体を収納したことを特徴とするトンネル用消火栓装置。」（特許文献２の請求項１参照）である。
【先行技術文献】
【特許文献】
【０００５】
【特許文献１】特開２０１５−４４０３９号公報
【特許文献２】特開２００１−９０５３号公報
【発明の概要】
【発明が解決しようとする課題】
【０００６】
特許文献２に開示のものは、本体内に引き出し可能に設けたトレイにホースリールや消火器を収納し、前記トレイを前面側に引き出すようにしている。そのため、消火栓装置の前面側にはトレイを引き出すための空間が必要となる。
しかしながら、消火栓装置を監視員通路内に埋め込んだ場合、消火栓装置の前面側は、車道に近く、事故車等が消火栓装置の前面側にあることも考えられ、消火栓装置の前面にはほとんど空間がないことも考えられる。そのため、消火活動を迅速に行えないことが想定される。
【０００７】
なお、トンネル内に設置される消火用の機器を収納するものとして消火器を収納する消火器箱があるが、消火器箱についても上述の消火栓装置と同様の課題が存在する。
【０００８】
本発明はかかる課題を解決するためになされたものであり、消火栓装置又は消火器箱を監視員通路内に埋め込むようにして設置した場合において、消火ホースや消火器の取り出しに支障が生ずることなく迅速な消火活動ができる消火栓装置及び消火器箱を得ることを目的としている。
【課題を解決するための手段】
【０００９】
（１）本発明に係る消火栓装置は、トンネル内の車道の路肩に構築された監視員通路に設けられた設置用空間内に設置される消火栓装置であって、
ホースを収納するホース収納部を内蔵する箱形の筺体を備え、該筐体は、監視員通路の路面として供用できる天板部と該天板部の下方の本体部とを有し、前記天板部は、前記ホース収納部の上方にホースの引き出しを可能にする開口部と、該開口部を開閉可能に覆う扉体とを備えたことを特徴とするものである。
【００１０】
（２）また、上記（１）に記載のものにおいて、前記扉体は、回動軸によって回動することで開閉可能に構成され、起立状態を保持する起立保持部材を有し、閉止状態で下面となる面に内部機器に関する表示が記載されていることを特徴とするものである。
【００１１】
（３）また、上記（１）又は（２）に記載のものにおいて、前記扉体は、回動軸によって回動することで開閉可能に構成され、起立状態を保持する起立保持部材を有し、前記開口部の縁部に前記扉体を開放状態にしたときに点灯する発光素子が設けられていることを特徴とするものである。
【００１２】
（４）また、上記（１）乃至（３）のいずれかに記載のものにおいて、前記扉体又は前記開口部の周縁部に、常時点灯する発光素子が設けられていることを特徴とするものである。
【００１３】
（５）本発明に係る消火器箱は、トンネル内の車道の路肩に構築された監視員通路に設けられた設置用空間内に設置される消火器箱であって、
消火器を収納する消火器収納部を有する箱形の筐体を備え、該筐体は、監視員通路の路面として供用できる天板部と該天板部の下方の本体部とを有し、前記天板部は前記消火器収納部の上方に前記消火器の取り出しを可能にする開口部と、該開口部を開閉可能に覆う扉体とを備えたことを特徴とするものである。
【発明の効果】
【００１４】
本発明に係る消火栓装置は、ホースを収納するホース収納部を内蔵する箱形の筐体を備え、該筐体は、監視員通路の路面として供用できる天板部と該天板部の下方の本体部とを有し、前記天板部は、前記ホース収納部の上方にホースの引き出しを可能にする開口部と、該開口部を開閉可能に覆う扉体とを備えたことにより、消火栓装置の前面側に事故車等があり消火栓装置の前面側からの操作ができないような場合であっても、前記天板部から消火ホースの取り出しが可能になるので迅速な消火活動ができる。
【図面の簡単な説明】
【００１５】
【図１】本発明の実施の形態１に係る消火栓装置の斜視図である。
【図２】図１に示した消火栓装置の内部構造を説明する正面図である。
【図３】図１に示した消火栓装置の内部構造を説明する平面図である。
【図４】図１に示した消火栓装置の天板部に設けた蓋部材を開放した状態の正面図である。
【図５】図１に示した消火栓装置の天板部に設けた蓋部材を開放した状態の側面図である。
【図６】図１に示した消火栓装置の天板部に設けた蓋部材を開放した状態の平面図である。
【図７】図１に示した消火栓装置の天板部に設けた蓋部材を開放した状態を背面側からみた斜視図である。
【図８】図１に示した消火栓装置を監視員通路に設けられる設置用空間に設置した状態の正面図である。
【図９】本発明の実施の形態２に係る消火栓装置の天板部に設けた蓋部材を開放した状態の平面図である。
【図１０】本発明に係る消火栓装置が設置される監視員通路に設けられる設置用空間の説明図である。
【発明を実施するための形態】
【００１６】
［実施の形態１］
本実施の形態に係る消火栓装置１は、トンネル内の車道の路肩に構築された監視員通路に設けられた設置用空間内に設置されるものである。
まず、消火栓装置１が設置される監視員通路８３の設置用空間８７について図１０に基づいて説明する。
図１０は、トンネルの路肩の監視員通路８３の一部を示したものであり、図中、８１はトンネル壁面、８３は監視員通路、８５は車道である。
監視員通路８３の路面は、車道幅方向に車道８５側が低くなるような傾斜面となっている。この傾斜面の勾配は、排水勾配と呼ばれ、傾斜角度は2.0％程度である。なお、2.0％の傾斜とは、100cmで2.0cmの高低差が生ずるような傾斜をいう。
【００１７】
設置用空間８７は、図１０に示すように、監視員通路８３の前壁８９から監視員通路８３の幅方向に切り欠くように設けられ、監視員通路８３を車道幅方向に切断した断面では設置用空間８７を形成する壁がＬ字形状になっている。このような設置用空間８７が設けられることで、監視員通路８３の路面には開口部が形成される。そして、該開口部の開口縁部９１は、後述する消火栓装置１の天板部９の周縁部が載置される３辺の部分が一段低くなった段部になっている。
【００１８】
上記のような設置用空間８７に設置される本実施の形態の消火栓装置１を図１〜図４に基づいて説明する。
消火栓装置１は、ホース３を収納するホース収納部５を内蔵する箱形の筐体７を備え、筐体７は、天板部９と天板部９の下方の本体部１１とを有し、天板部９は本体部１１よりも外方に張出す張出し部１３を有している。
以下、消火栓装置１を構成する各部について詳細に説明する。
【００１９】
＜筐体＞
本実施の形態における筐体７は、上述のように本体部１１と天板部９を有し、全体形状は、図１に示すように、略直方体形状をしている。
【００２０】
《本体部》
本体部１１の内部には、図２、図３に示すように、内巻きに巻き回されたホース３を収納するホース収納部５および消火器１５を収納する消火器収納部１７が設けられている。
ホース収納部５には、図２に示すように、ホース３が縦方向に内巻きされて収納されている。また、ホース収納部５は、図３に示すように、筐体７内における後方側に配置されている。なお、ホース収納部５に収納されるホース３は内巻きだけに限らず、例えば、リールにホースを巻き付けて収納するリール式でも良い。
【００２１】
また、ホース収納部５の前面側の近傍で、かつ上部側には、ホース３の先端に設けられた消火ノズル１９を所定の位置に保持するためのノズルホルダ２１が設けられている（図２、図３参照）。
さらに、ホース収納部５の前面側の近傍で、かつ高さ方向で中程よりも上方側には、消火栓弁を操作するための操作レバー２３が設けられている（図２、図３参照）。
【００２２】
操作レバー２３及びノズルホルダ２１を設ける位置は、後述する筐体７の前面扉２７及び上面扉３５の両方から操作者が操作等できる位置に設けられている。
また、ノズルホルダ２１による消火ノズル１９の保持方法についても、筐体７の前面側及び上面側のいずれからでも容易に取り外し可能な保持方法にしている。
【００２３】
本体部１１におけるホース収納部５の前面には前面開口部２５が設けられ、前面開口部２５には下降式の前面扉２７が設けられている。
また、本体部１１における消火器収納部１７の前面には消火器箱前面開口部２９が設けられ、消火器箱前面開口部２９には横開き式の消火器箱前面扉３１が設けられている。
【００２４】
前面扉２７を開扉することで、操作レバー２３の操作が可能で、かつノズルホルダ２１に保持されている消火ノズル１９を取り外してホース３を引き出すことが可能になっている。
また、消火器箱前面扉３１を開扉することで、内部に載置されている消火器１５を取り出すことが可能になっている。
【００２５】
前面扉２７、消火器箱前面扉３１については、その開放方式は特に限定されるものではなく、前面扉２７を引戸式や回動式、あるいは消火器箱前面扉３１を下降式や回動式にしてもよい。
【００２６】
《天板部》
天板部９は、本体部１１と一体的に連結されており、本体部１１から外方に張出す張出し部１３を有している。張出し部１３は、両側辺と後辺の３辺に設けられている。
張出し部１３は、監視員通路８３の開口縁部９１の段部に載置され、この状態で監視員通路８３の路面と天板部９が面一になる。なお、張出し部１３は３辺でなくても良く、少なくとも両側辺の２辺にあれば良い。その場合、監視員通路８３の開口縁部９１の段部も両側辺の２辺にあれば足りる。
【００２７】
なお、張出し部１３によって本体部１１を吊下げ支持するようにしてよい。この場合には、張出し部１３を吊下げ支持に耐えられる強度にするため、例えば張出し部１３の下方にＬ形のアングル材等の補強部材を設けて、張出し部１３を下方から支持する構造にすればよい。
なお、張出し部１３は天板部９の他の部位と一体でも別体でもよい。
【００２８】
前述したように監視員通路８３に排水勾配が設けられている場合には、これに合わせて天板部９を本体部１１に対して傾斜させて設置するようにするのが好ましい。
例えば、前面側から背面側に向かって登り傾斜となるような角度を設けるようにする。
【００２９】
天板部９におけるホース収納部５の上方に相当する部位には、上面開口部３３（本発明の開口部に相当）が形成され、上面開口部３３には開閉可能な上面扉３５（本発明の扉体に相当）が設けられている。より詳細には、上面開口部３５は、収納されているホース３より前面側であり、消火ノズル２１の上方に位置している。
天板部９に上面開口部３３及び上面扉３５を設けたのは、消火栓装置１の天板部９側からホース３の引き出しや、操作レバー２３の操作を可能にするためである。つまり、消火活動は、監視員通路８３の路上からでも、車道からでも行うことができる。
上面扉３５は、前側の辺部に設けられた図示しない回動軸を中心として例えば、前面側に向けて回動するようになっている。
【００３０】
天板部９における消火器収納部１７の上方に相当する部位には、消火器箱上面開口部３７（本発明の開口部に相当）が形成され、消火器箱上面開口部３７には開閉可能な消火器箱上面扉３９（本発明の扉体に相当）が設けられている。
消火器箱上面開口部３９は消火器１５の上方に位置し、消火器１本分又は複数本分が通過可能な大きさを有している。消火器箱上面開口部３９は、開口部３５と比較して、奥行き（車道幅方向）は長く、車道走行方向の幅は短い矩形状となっている。
なお、上記の消火器収納部１７は、２本の消火器１５を立てた状態で奥行き方向に並べて収納するものであるが、消火器１５を幅方向（車道走行方向）に２本並べて収納できるものであってもよい。この場合、これに合わせて消火器箱上面開口部３９の位置、大きさ及び形状を設定すればよい。
消火器箱上面扉３９も上面扉３５と同様の構成になっている。
【００３１】
上面扉３５及び消火器箱上面扉３９を開扉すると、図４〜図７に示すように、両扉は後方から前方に向けて回動して、図５に示すように、直立よりも前方側に傾斜した起立状態を維持する。なお、両扉には起立状態から自然に閉止しないようにロックして起立状態を保持する起立保持部材を設けるのが望ましい。起立保持部材としては、例えばストップ型の蝶番やステーを用いる。これにより起立角度を調整して起立状態を保持できる。
なお、上面扉３５及び消火器箱上面扉３９を起立状態で保持させることで、火災等の煙で視界が悪くなったような場合において、作業者が監視員通路８３から不意に落下したりするのを防止するという効果がある。
【００３２】
上面扉３５及び消火器箱上面扉３９を開扉した状態を真上から見ると、図６に示すように、上面開口部３３からは、消火ノズル１９と操作レバー２３が見え、消火器箱上面開口部３７からは消火器１５の頭部が見える。
【００３３】
上面扉３５における閉止状態で下面、すなわち開放状態では背面側の面には、図７に示すように、内部機器に関する表示として、例えば、操作レバー２３の上方の位置には「レバー」の文字が、また消火ノズル１９の上方の位置には「ノズル」の文字が記載されている。
また、消火器箱上面扉３９における閉止状態で下面、すなわち開放状態では背面側の面には、図７に示すように、内部機器に関する表示として、「消火器」の文字が記載されている。
【００３４】
このような表示がされることで、上面扉３５や消火器箱上面扉３９を開扉した際に、内部機器に関する情報を得ることができ、例えば上面扉３５から腕を内部に入れて内部機器を操作、あるいは取り出す動作を円滑に行うことができる。
なお、操作レバー２３の操作と消火ノズル１９の取り出しは共に、上面扉３５を開扉した上面開口部３３から行うため、上面開口部３３におけるどの位置に操作レバー２３や消火ノズル１９があるかを示すことは有意義である。
【００３５】
なお、内部機器に関する表示としては、文字、記号、図形等いずれでもよく、またその内容についても、単に内部機器の名称を記載するもの、取り扱い説明のようなもの等でもよい。
【００３６】
上面扉３５及び消火器箱上面扉３９の起立状態における、直立状態から前方側に回動する角度θ（図５参照）は、建築限界を侵さない程度に設定され、例えば、水平面に対して４５度〜９０度の範囲にするのが好ましい。
傾斜角度が小さすぎると、両扉に記載した表示が見づらくなり、また傾斜角度が大きすぎると、両扉の上端が前方に出っ張って車道８５側に出るためである。起立状態で、両扉の上端部が消火栓装置１の前面より車道８５側に出ないような傾斜角度（即ち、建築限界を侵さないような傾斜角度）にするのが望ましい。
【００３７】
次に、上記のように構成された本実施の形態の消火栓装置１の設置方法及び設置状態について図８に基づいて説明する。
消火栓装置１は、監視員通路８３の開口縁部９１に天板部９の張出し部１３を載置して設置される。設置状態では、図８に示すように、天板部９が監視員通路８３の路面と面一になって、監視員通路８３の路面の一部として供用される。
【００３８】
なお、監視員通路８３に排水勾配が設けられている場合には、排水勾配に合わせて天板部９を本体部１１に対して傾斜させておけば、この場合でも監視員通路８３に対して面一の状態で設置することができる。
【００３９】
上記のように設置された消火栓装置１においては、天板部９が監視員通路８３の路面の一部となり通行することができ、かつホース３の引き出し、操作レバー２３の操作、及び消火器１５の取り出しを前面側及び上面側からの両方から行うことができる。
【００４０】
なお、ホース３の引き出し、操作レバー２３の操作、及び消火器１５の取り出しを監視員通路８３上から行う場合には、上面扉３５及び／又は消火器箱上面扉３９を開扉する。このとき、上面開口部３３や消火器箱上面開口部３７は比較的小さいため、一般人が火災の際に初めて上面扉３５及び／又は消火器箱上面扉３９を開扉する状況を想定すると、内部機器の状況が把握できずに戸惑うことが考えられるが、図７に示すように、内部機器に関する表示があることで、戸惑うことなく必要な操作を行うことができる。
【００４１】
［実施の形態２］
本実施の形態に係る消火栓装置４１を、図９に基づいて説明する。
本実施の形態の消火栓装置４１は、図９に示すように、上面開口部３３の縁部に上面扉３５を開扉したときに発光する発光素子４３を上面開口部３３の縁部の３辺に亘って設け、同様に、消火器箱上面開口部３７の縁部に消火器箱上面扉３９を開扉したときに発光するＬＥＤ等の発光素子４３を消火器箱上面開口部３７の縁部の３辺に亘って設けたものである。
【００４２】
上面扉３５や消火器箱上面扉３９を開扉したときに発光素子４３が発光するようにするには、上面扉３５や消火器箱上面扉３９が載置される天板部９、又は本体部１１にリミットスイッチ等を設け、上面扉３５や消火器箱上面扉３９を開けたときにスイッチが入って発光素子４３が発光するようにすればよい。
【００４３】
発光素子４３を設けることで、火災による煙が充満したような状況においても、開口している上面開口部３３及び／又は消火器箱上面開口部３７の位置が分かり、誤って開口部内に人が落下等するのを防止できる。
なお、発光素子４３の位置を、開口部の端面にして、発光素子４３が発光したときに、筐体７の内部を照らすようにすることで、消火活動に必要な機器の位置等が分かりやすくなり、ホース３の引き出し、操作レバー２３の操作、及び消火器１５の取り出しを容易にすることができる。
【００４４】
なお、上記の説明では、発光素子４３を発光させるのは、上面扉３５や消火器箱上面扉３９を開扉したときであったが、閉止状態で上面から見える部位、例えば上面扉３５や消火器箱上面扉３９の上面縁部や、上面開口部３３や消火器箱上面開口部３７の縁部等に、常時点灯する発光素子４３を設けるようにしてもよい。
これによって、例えば、火災による煙が充満するような状況でも上面扉３５や消火器箱上面扉３９の位置を視認することができ、上面扉３５や消火器箱上面扉３９の開扉動作を円滑に行うことができる。
また、さらに内部側に発光素子４３を設けるようにしてもよい。例えばノズルホルダ２１、操作レバー２３及び消火器１５のハンドルの近傍に発光素子４３を設けてもよい。この場合でも上面扉３５や消火器箱上面扉３９を開扉したときには上面開口部３３や消火器箱上面開口部３７から光が見えるので、人が誤って開口部に落下等することを防ぐことができ、さらに消火ノズル１９、操作レバー２３および消火器１５の位置を認識しやすくすることができる。
なお、本実施の形態２では、上面扉３５や消火器箱上面扉３９の位置を視認することができれば発光素子４３でなくても良く、発光素子４３の代わりに、例えば蛍光色のマーキング部材、トラ柄テープ等の位置表示手段でも良い。
【００４５】
上記の実施の形態は、天板部９は、本体部１１が一体的に連結されている例を示したが、本発明はこれに限定されるものではなく、天板部９と本体部１１とが別体に構成され、本体部１１を設置用空間８７に載置し、天板部９を監視員通路８３に係止する別体型の消火栓装置にも適用できる。また、本発明の実施の形態は、設置用空間８７に載置する直方体形状の箱体からなる載置型の消火栓装置にも適用できる。
【００４６】
また、上記の実施の形態においては、消火器収納部１７とホース収納部５を有する例を示したが、本発明の消火栓装置４１は消火器収納部１７とホース収納部５の両方を有することは必須ではなく、消火器収納部１７のないものを排除するものではない。
【００４７】
また、上記の実施の形態は、筐体内にホースを内蔵する消火栓装置について説明したが、本発明の特徴部分は消火器を収納する消火器箱についても適用でき、この場合上記の実施の形態で説明した消火器収納部１７が設けられた部分（図１〜４における図中左側の部分）のみを消火栓装置１から切り離して消火器箱として構成すればよい。
【符号の説明】
【００４８】
＜実施の形態１＞
１  消火栓装置
３  ホース
５  ホース収納部
７  筐体
９  天板部
１１  本体部
１３  張出し部
１５  消火器
１７  消火器収納部
１９  消火ノズル
２１  ノズルホルダ
２３  操作レバー
２５  前面開口部
２７  前面扉
２９  消火器箱前面開口部
３１  消火器箱前面扉
３３  上面開口部
３５  上面扉
３７  消火器箱上面開口部
３９  消火器箱上面扉
＜実施の形態２＞
４１  消火栓装置
４３  発光素子
＜監視員通路＞
８１  トンネル壁面
８３  監視員通路
８５  車道
８７  設置用空間
８９  前壁
９１  開口縁部
【図１】
0006714958.tif 000002
【図２】
0006714958.tif 000003
【図３】
0006714958.tif 000004
【図４】
0006714958.tif 000005
【図５】
0006714958.tif 000006
【図６】
0006714958.tif 000007
【図７】
0006714958.tif 000008
【図８】
0006714958.tif 000009
【図９】
0006714958.tif 000010
【図１０】
0006714958.tif 000011